(57)【要約】      （修正有）【課題】一般生活者が日常的に取得し難い、墓、仏事、葬祭に特化した情報をインターネット、デジタル機器、専用アナログ紙誌の自由選択利用で利用者に双方向で情報を提供するシステムを提供する。【解決手段】事前に収集整理された基本データベース６とインターネットを介して出力される、回線電話１０、普及アナログ機器、回線、汎用端末機器１２、パソコン１３、普及デジタル情報収集可能端末を含む機器において、基本データベース６の情報の利用を行うシステムであり、基本データベース６の情報としてアナログ紙誌８の紙面情報を登録する。【選択図】図１
0003199463.tif 000002
【実用新案登録請求の範囲】
【請求項１】
一般生活者が日常的に取得し難い、墓、仏事、葬祭に特化した情報をインターネット、デジタル機器、専用アナログ紙誌の自由選択利用で利用者に双方向で情報を提供するシステム
【請求項２】
請求項１ 記載のシステムは、情報収集者、情報提供者 、情報委託者、情報受託者、情報利用者、の存在から成り立ち、各々が前述のデジタル機器と専用アナログ紙誌を利用することで構成されるシステム
【請求項３】
請求項１ 記載のシステムは、webページと専用アナログ紙誌を基本媒体として、各種デジタル情報端末や専用アナログ紙誌を介して利用者に情報が提供され、端末の進化などにも対応・適合する柔軟さを含むシステム
【請求項４】
請求項１ 記載のシステムは、情報収集者が基本データベースを保有し、情報提供者、情報委託者からの情報をデータ化し、利用者の希望した条件の情報を提供するシステム
【請求項５】
請求項４記載のデータベースは、文字情報、活字情報、映像、画像、音声、その他時代に沿った情報項目から構成されるシステム
【請求項６】
請求項１ 記載のシステムは、専用のデジタル端末を必要とせず、利用者が所有している普及デジタル端末での利用が可能、請求項３の通り、端末の進化などにも柔軟に対応・適合するシステム
【請求項７】
前述請求項１ 記載のシステムは、利用形態によって課金や利用料金が発生するシステム
【考案の詳細な説明】
【技術分野】
【０００１】
本考案は、一般生活者が日常的に取得し難い、墓、仏事、葬祭に特化した情報をインターネット、デジタル機器、専用アナログ紙誌の自由選択利用で利用者に双方向で情報を提供するシステムに関する。
【背景技術】
【０００２】
従来の墓、仏事、葬祭などに関する情報は、一般生活者の入手が難しく閉鎖的なものであり、加えて、その手段も限られたものであった。
【０００３】
近年、インターネットの普及に伴い、ホームページなどでの情報提供も始まったが、専用端末の利用での使い勝手の悪さやアナログ技術との連動が皆無であったり、と一般的な普及に至るには難しい欠点があった。
【先行技術文献】
【特許文献】
【０００４】
【特許文献１】特開2002-15202
【特許文献２】特開2003-16174
【考案の概要】
【考案が解決しようとする課題】
【０００５】
しかし、これまでのシステムは、インターネットやデジタルのみでの展開であり、デジタル機器や専用端末での提供、利用であり、それらの機器を持たない利用者、使えない利用者には提供出来ない、利用できないことが欠点であった。
【０００６】
上述の特許文献１などの従来の技術では、インターネットを利用した情報配信ながら、チラシ情報のみしか、取得、提供出来ず、情報自体が狭域であり、双方向の利用も出来ず、利用者には不足、不便な要素が多く、その結果、オンタイムでの情報提供、取得、利用は難しい。
【０００７】
上述の特許文献２などの従来の技術では、墓、仏事、葬祭などに関する情報ではあるが、あくまでも個人単位の生前の伝記記録にとどまり、加えて専用端末の使用、配信や記録そのものが、寺院、教会、宗教法人、代理店にまたがって管理されていたり、情報の配信や取得にも制限があり、
そもそもデジタル域のみの展開であり、デジタル機器の使用が難しい利用者にとっては、不便極まりないものである。
【課題を解決するための手段】
【０００８】
本考案は、インターネットやデジタルでの基礎情報データベースを構築し活用するに留まらず、これまでにないアナログ媒体（紙誌）との選択展開を行うことにより、上述の先行技術の問題点を解決することは勿論ながら、グルメ、住宅、アルバイトなどの既存の情報提供とは異り、これまで一般的に扱いのなかった、墓、仏事、葬祭などに関する特殊な情報を利用者の利用環境まで含めて構築し提供する事により、デジタル機器や専用端末機器を持たない利用者、使えない利用者も利用できるシステムを構築することで、上記課題を解決するものである。
【考案の効果】
【０００９】
本考案にあたっては、過去のシステムよりも、情報委託者、情報受託者、情報利用者の活用がより簡易になり、加えて広域な利用者への情報提供が可能になり、情報の取得が難しかった層も広がり、本考案が有効な世界の拡大などの効果が得られる。
【図面の簡単な説明】
【００１０】
【図１】図１は、本考案の一実施形態に係るネットワーク構成図である。
【考案を実施するための形態】
【００１１】
以下、本考案の一実施の形態を図に基づいて説明する。
【実施例１】
【００１２】
図１は、本考案の一実施形態に係るネットワーク構成図である。本図において、情報収集者１、情報提供者２、情報委託者３、情報受託者４、情報利用者５までの人間が、事前に収集整理された基本データベース６の情報をデジタル機器７、Webページ（インターネット）９、のデジタル、インターネット空間やアナログ紙誌８の紙面情報から、アナログ紙誌８’、回線電話１０、FAX１１などの普及アナログ機器、回線、携帯電話機など汎用端末機器１２、パソコン１３の普及デジタル情報収集可能端末にて、必要な情報の利用を行うものである。
【００１３】
デジタル機器７、 Webページ（インターネット ）９、のデジタル、インターネット空間のみの情報提供やデータベース構築は既存の技術としても存在するが、本考案は、回線電話１０、FAX１１などの普及アナログ機器、回線、携帯電話機など汎用端末機器１２、パソコン１３の普及デジタル情報収集可能端末のみでなく、アナログ紙誌８の紙面情報、アナログ紙誌８’、などを選択使用することが可能である点が、これまでの技術の欠点や不便さを解消するものである。
【００１４】
これは、既存のグルメ、住宅、アルバイトなどの情報提供とは異り、これまで一般的に扱いのなかった、墓、仏事、葬祭などに関する特殊な情報を情報受託者４、情報利用者５の利用環境まで含めて構築し提供する事により、デジタル機器や専用端末機器を持たない情報受託者４、情報利用者５の利用者、使えない情報受託者４、情報利用者５の利用者も利用できるシステムを構築することで、上記課題を解決するものである。
【００１５】
また、情報受託者４、情報利用者５の利用者が希望する宗派や場所、環境などにも柔軟に対応し、例えば、情報受託者４、情報利用者５の利用者の居住地から遠方にある希望の場所、希望の宗派などの選択も自由に出来ることが可能になる。本考案によって、これまで断念していたり、妥協していた要素を諦めることなく、かつ情報受託者４、情報利用者５の利用者の希望に沿った情報提供が可能になることで、利便性が格段に向上し利用拡大、分野の向上が期待できる。
【００１６】
加えて、アナログ紙誌８紙面情報、アナログ紙誌８’、などを選択使用することが可能であることが、情報提供者２、情報委託者３の利用促進にもつながり、それにより基本データベース６の情報量がデジタル分野のみの状況よりも増すことにより、本考案に関わる情報収集者１、情報提供者２、情報委託者３、情報受託者４、情報利用者５までのすべての人間の利益につながることにもなり、この分野の活性化にもつながる。
【００１７】
デジタル機器による、双方向即時情報の更新などにより、情報収集者１、管理の基本データベース６は、新規情報や、情報利用による直近のデータ変更などに柔軟に対応し、アナログ紙誌８およびアナログ紙誌８’の、以外では、最新情報を提供出来る。また、専用機器を必要としないので、図１の世界は、参加が容易なため、広域で簡易な参加が可能で、この分野事態の拡大、向上が期待できる。
【符号の説明】
【００１８】
１    情報収集者
２    情報提供者
３    情報委託者
４    情報受託者
５    情報利用者
６    基本データシステム
７    デジタル機器
８    アナログ紙誌
８‘    アナログ紙誌
９    webページ（インターネット）
１０  回線電話
１１  FAX
１２  携帯電話機など汎用端末機器
１３  パソコン
【図１】
0003199463.tif 000003
【手続補正書】
【提出日】平成27年6月18日(2015.6.18)
【手続補正１】
【補正対象書類名】実用新案登録請求の範囲
【補正対象項目名】全文
【補正方法】変更
【補正の内容】
【実用新案登録請求の範囲】
【請求項１】
事前に収集整理された基本データベース（６）とインターネットを介して出力される、回線電話（１０）普及アナログ機器、回線、汎用端末機器（１２）、パソコン（１３）、普及デジタル情報収集可能端末を含む機器において、前記基本データベース（６）の情報の利用を行うシステムであり、前記基本データベース（６）の情報としてアナログ紙誌（８）の紙面情報を登録したことを特長としたシステム